(57)【要約】【課題】表示部を見る方向に応じて異なる画像を視認させるために複数の画像の表示部への表示を適切に制御できるようにする。【解決手段】表示部１７に対する複数の視野角方向からそれぞれ異なる画像が視認されるように表示部を制御する場合に、順序付けされた一連の画像を記憶する記憶部から表示対象の画像をその順序にしたがって指定するとともに、指定した画像が所定の視野角方向（例えば、主ユーザ対応の第１視野角方向）から視認されるように該画像を第１視野角方向に割り当てるほか、第１視野角方向に割り当てられている画像に対して前後関係の順位の他の画像が所定の視野角方向とは異なる他の視野角方向（例えば、第２視野角方向）から視認されるように該他の画像を第２視野角方向に割り当てる。【選択図】  図４
2011234082.tif 000002
【特許請求の範囲】
【請求項１】
表示部に対する複数の視野角方向からそれぞれ異なる画像が視認されるように前記表示部を制御する端末装置であって、
順序付けされた一連の画像を記憶する記憶部から表示対象の画像を指定する指定手段と、
前記指定手段によって指定された画像が前記複数の視野角方向のうち所定の視野角方向から視認されるように該画像を該所定の視野角方向に割り当てる第１表示制御手段と、
前記所定の視野角方向に割り当てられている画像に対して前後関係にある順位の他の画像が前記所定の視野角方向とは異なる他の視野角方向から視認されるように該他の画像を該他の視野角方向に割り当てる第２表示制御手段と、
を備えることを特徴とする端末装置。
【請求項２】
次の画像への変更を指示する次画像指示手段を更に備え、
前記指定手段は、前記次画像指示手段により次の画像への変更が指示された際に、前記所定の視野角方向に割り当てられている画像の次の順位の画像を指定し、
前記第１表示制御手段は、前記指定手段によって指定された前記次の順位の画像が前記所定の視野角方向から視認されるように該画像を該所定の視野角方向に割り当て、
前記第２表示制御手段は、前記次画像指示手段により次画像への表示が指示された際に、前記所定の視野角方向に割り当てられている画像を前記他の画像として前記他の視野角方向に割り当てる、
ようにしたことを特徴とする請求項１記載の端末装置。
【請求項３】
画像のスキップ表示を指示するスキップ指示手段を更に備え、
前記指定手段は、前記スキップ指示手段により画像のスキップ表示が指示された際に、前記所定の視野角方向に割り当てられている画像の次の順位の画像を指定し、
前記第１表示制御手段は、前記指定手段によって指定された前記次の順位の画像が前記所定の視野角方向から視認されるように該画像を該所定の視野角方向に割り当て、
前記第２表示制御手段は、前記スキップ指示手段により画像のスキップ表示が指示された際に、前記他の視野角方向に割り当てられている画像をそのまま維持する、
ようにしたことを特徴とする請求項１記載の端末装置。
【請求項４】
画像のスキップ表示を指示するスキップ指示手段を更に備え、
前記指定手段は、前記スキップ指示手段により画像のスキップ表示が指示された際に、前記所定の視野角方向に割り当てられている画像の次の順位の画像を指定し、
前記第１表示制御手段は、前記指定手段によって指定された前記次の順位の画像が前記所定の視野角方向から視認されるように該画像を該所定の視野角方向に割り当て、
前記第２表示制御手段は、前記スキップ指示手段により画像のスキップ表示が指示された際に、前記所定の視野角方向に割り当てられている画像の割り当てに代わって該画像の代替画像を前記他の視野角方向に割り当てる、
ようにしたことを特徴とする請求項１記載の端末装置。
【請求項５】
表示部に対する複数の視野角方向からそれぞれ異なる画像が視認されるように前記表示部を制御する端末装置であって、
表示部を利用する人数である利用人数を検出する検出手段と、
前記検出手段により検出された利用人数に基づいて、前記表示部に同時に表示する画像の枚数を決定する決定手段と、
複数の画像を記憶する記憶部を参照して、前記決定手段により決定された枚数分の画像を前記記憶部から読み出す読出手段と、
前記読出手段により読み出された各画像を前記表示部に同時に表示させる場合に、それぞれの画像が異なる視野角方向から視認されるように前記表示部を制御する表示制御手段と、
を備えることを特徴とする端末装置。
【請求項６】
前記検出手段により検出された利用人数に相当する数の視野角方向を所定の順序で前記表示部に確保する視野角生成手段を更に備える、
ようにしたことを特徴とする請求項５記載の端末装置。
【請求項７】
撮像手段を更に備え、
前記検出手段は、前記撮像手段で撮像された画像を解析して利用人数を検出する、
ようにしたことを特徴とする請求項５記載の端末装置。
【請求項８】
ユーザ操作によって人数を指定する人数指定手段を更に備え、
前記検出手段は、前記人数指定手段によって指定された人数に基づいて利用人数を検出する、
ようにしたことを特徴とする請求項５記載の端末装置。
【請求項９】
前記人数指定手段は、前記表示部に対する接触操作の回数によって利用人数を指定する、
ようにしたことを特徴とする請求項８記載の端末装置。
【請求項１０】
コンピュータに対して、
表示部に対する複数の視野角方向からそれぞれ異なる画像が視認されるように前記表示部を制御する場合に、順序付けされた一連の画像を記憶する記憶部から表示対象の画像を指定する機能と、
前記指定された画像が前記複数の視野角方向のうち所定の視野角方向から視認されるように該画像を該所定の視野角方向に割り当てる機能と、
前記所定の視野角方向に割り当てられている画像に対して前後関係にある順位の他の画像が前記所定の視野角方向とは異なる他の視野角方向から視認されるように該他の画像を該他の視野角方向に割り当てる機能と、
を実現させるためのプログラム。
【請求項１１】
コンピュータに対して、
表示部に対する複数の視野角方向からそれぞれ異なる画像が視認されるように前記表示部を制御する場合に、前記表示部を利用する人数を検出する機能と、
前記検出された利用人数に基づいて、前記表示部に同時に表示する画像の枚数を決定する機能と、
複数の画像を記憶する記憶部を参照して、前記決定された枚数分の画像を前記記憶部から読み出す機能と、
前記読み出された各画像を前記表示部に同時に表示させる場合に、それぞれの画像が異なる視野角方向から視認されるように前記表示部を制御する機能と、
を実現させるためのプログラム。
【発明の詳細な説明】
【技術分野】
【０００１】
本発明は、表示部に対する視野角方向に応じて異なる画像を視認させることを可能とした端末装置及びプログラムに関する。
【背景技術】
【０００２】
一般に、例えば、旅行や外出先で撮影した多くの画像（プリント写真）を複数の友人に見せる場合には、先ず、撮影者は１枚目の画像を見た後に、友人Ａにその画像を渡すと、その友人Ａはその画像を見た後に、更に別の友人Ｂにその画像を渡す。友人Ｂはその画像を見た後に、更に別の友人Ｃにその画像を渡す。一方、撮影者は１枚目の画像を友人Ａに渡した後に、２枚目の画像を見るが、この２枚目の画像を見た後に、友人Ａにその画像を渡す。このようにして撮影者は複数枚の画像を順番に見ていき、見た画像を順番に友人Ａに渡すと、友人Ａは撮影者から順番に渡された画像を順番に見ていき、見た画像を順番に友人Ｂに渡す。友人Ｂは友人Ａから順番に渡された画像を順番に見ていき、見た画像を順番に友人Ｃに渡すようにしている。
【０００３】
ところで、携帯電話機などの端末装置においては、撮像機能やダウンロード機能などで取得した多くの画像を記憶部に記憶するようにしている。それらの画像を上述したように手渡し感覚で順番に閲覧するような場合、撮影者は、１枚目の画像を端末装置の表示部に表示させて見た後に、端末装置を友人Ａに手渡すが、最後の友人Ｃが１枚目の画像を見た後に端末装置が撮影者に戻されるまでの間、撮影者は、２枚目の画像を見ることはできない。このことは、友人Ａ〜Ｃについても同様である。このように待たされるのは、端末装置の表示部に画像を１枚ずつ表示させることに起因する。一方、従来では、複数の画像を同時に表示部に表示させ、それぞれの画像をある方向からしか視認させないようにした技術が開示されている（特許文献１及び特許文献２参照）。
【先行技術文献】
【特許文献】
【０００４】
【特許文献１】特開２００５−０７８０７６号公報
【特許文献２】特開２００５−２８４５９２号公報
【発明の概要】
【発明が解決しようとする課題】
【０００５】
しかしながら、上述した各先行技術にあっては、表示部の表面に視差バリアを形成することにより表示部を見る方向に応じて異なる画像を視認させるようにしたもので、一つの表示部で複数人が異なる画像を閲覧することはできるが、複数の画像の単に同時表示させるだけでは、複数の画像を複数人が手渡し感覚で順番に閲覧するというような効果的な画像の閲覧を実現することはできなかった。
【０００６】
本発明の課題は、表示部を見る方向に応じて異なる画像を視認させるために複数の画像の表示部への表示を適切に制御できるようにすることである。
【課題を解決するための手段】
【０００７】
上述した課題を解決するために請求項１記載の発明は、
表示部に対する複数の視野角方向からそれぞれ異なる画像が視認されるように前記表示部を制御する端末装置であって、
順序付けされた一連の画像を記憶する記憶部から表示対象の画像を指定する指定手段と、
前記指定手段によって指定された画像が前記複数の視野角方向のうち所定の視野角方向から視認されるように該画像を該所定の視野角方向に割り当てる第１表示制御手段と、
前記所定の視野角方向に割り当てられている画像に対して前後関係にある順位の他の画像が前記所定の視野角方向とは異なる他の視野角方向から視認されるように該他の画像を該他の視野角方向に割り当てる第２表示制御手段と、
を備えることを特徴とする。
【０００８】
請求項１に従属する発明として、
次の画像への変更を指示する次画像指示手段を更に備え、
前記指定手段は、前記次画像指示手段により次の画像への変更が指示された際に、前記所定の視野角方向に割り当てられている画像の次の順位の画像を指定し、
前記第１表示制御手段は、前記指定手段によって指定された前記次の順位の画像が前記所定の視野角方向から視認されるように該画像を該所定の視野角方向に割り当て、
前記第２表示制御手段は、前記次画像指示手段により次画像への表示が指示された際に、前記所定の視野角方向に割り当てられている画像を前記他の画像として前記他の視野角方向に割り当てる、
ようにしたことを特徴とする、請求項２記載の発明であってもよい。
【０００９】
請求項１に従属する発明として、
画像のスキップ表示を指示するスキップ指示手段を更に備え、
前記指定手段は、前記スキップ指示手段により画像のスキップ表示が指示された際に、前記所定の視野角方向に割り当てられている画像の次の順位の画像を指定し、
前記第１表示制御手段は、前記指定手段によって指定された前記次の順位の画像が前記所定の視野角方向から視認されるように該画像を該所定の視野角方向に割り当て、
前記第２表示制御手段は、前記スキップ指示手段により画像のスキップ表示が指示された際に、前記他の視野角方向に割り当てられている画像をそのまま維持する、
ようにしたことを特徴とする、請求項３記載の発明であってもよい。
【００１０】
請求項１に従属する発明として、
画像のスキップ表示を指示するスキップ指示手段を更に備え、
前記指定手段は、前記スキップ指示手段により画像のスキップ表示が指示された際に、前記所定の視野角方向に割り当てられている画像の次の順位の画像を指定し、
前記第１表示制御手段は、前記指定手段によって指定された前記次の順位の画像が前記所定の視野角方向から視認されるように該画像を該所定の視野角方向に割り当て、
前記第２表示制御手段は、前記スキップ指示手段により画像のスキップ表示が指示された際に、前記所定の視野角方向に割り当てられている画像の割り当てに代わって該画像の代替画像を前記他の視野角方向に割り当てる、
ようにしたことを特徴とする、請求項４記載の発明であってもよい。
【００１１】
また、上述した課題を解決するために請求項５記載の発明は、
表示部に対する複数の視野角方向からそれぞれ異なる画像が視認されるように前記表示部を制御する端末装置であって、
表示部を利用する人数である利用人数を検出する検出手段と、
前記検出手段により検出された利用人数に基づいて、前記表示部に同時に表示する画像の枚数を決定する決定手段と、
複数の画像を記憶する記憶部を参照して、前記決定手段により決定された枚数分の画像を前記記憶部から読み出す読出手段と、
前記読出手段により読み出された各画像を前記表示部に同時に表示させる場合に、それぞれの画像が異なる視野角方向から視認されるように前記表示部を制御する表示制御手段と、
を備えることを特徴とする。
【００１２】
請求項５に従属する発明として、
前記検出手段により検出された利用人数に相当する数の視野角方向を所定の順序で前記表示部に確保する視野角生成手段を更に備える、
ようにしたことを特徴とする、請求項６記載の発明であってもよい。
【００１３】
請求項５に従属する発明として、
撮像手段を更に備え、
前記検出手段は、前記撮像手段で撮像された画像を解析して利用人数を検出する、
ようにしたことを特徴とする、請求項７記載の発明であってもよい。
【００１４】
請求項５に従属する発明として、
ユーザ操作によって人数を指定する人数指定手段を更に備え、
前記検出手段は、前記人数指定手段によって指定された人数に基づいて利用人数を検出する、
ようにしたことを特徴とする、請求項８記載の発明であってもよい。
【００１５】
請求項８に従属する発明として、
前記人数指定手段は、前記表示部に対する接触操作の回数によって利用人数を指定する、
ようにしたことを特徴とする、請求項９記載の発明であってもよい。
【００１６】
また、上述した課題を解決するために請求項１０記載の発明は、
コンピュータに対して、
表示部に対する複数の視野角方向からそれぞれ異なる画像が視認されるように前記表示部を制御する場合に、順序付けされた一連の画像を記憶する記憶部から表示対象の画像を指定する機能と、
前記指定された画像が前記複数の視野角方向のうち所定の視野角方向から視認されるように該画像を該所定の視野角方向に割り当てる機能と、
前記所定の視野角方向に割り当てられている画像に対して前後関係にある順位の他の画像が前記所定の視野角方向とは異なる他の視野角方向から視認されるように該他の画像を該他の視野角方向に割り当てる機能と、
を実現させるためのプログラム、であることを特徴とする。
【００１７】
また、上述した課題を解決するために請求項１１記載の発明は、
コンピュータに対して、
表示部に対する複数の視野角方向からそれぞれ異なる画像が視認されるように前記表示部を制御する場合に、前記表示部を利用する人数を検出する機能と、
前記検出された利用人数に基づいて、前記表示部に同時に表示する画像の枚数を決定する機能と、
複数の画像を記憶する記憶部を参照して、前記決定された枚数分の画像を前記記憶部から読み出す機能と、
前記読み出された各画像を前記表示部に同時に表示させる場合に、それぞれの画像が異なる視野角方向から視認されるように前記表示部を制御する機能と、
を実現させるためのプログラム、であることを特徴とする。
【発明の効果】
【００１８】
本発明によれば、表示部を見る方向に応じて異なる画像を視認させるために複数の画像の表示部への表示を適切に制御することができ、効果的な閲覧が可能となる。
【図面の簡単な説明】
【００１９】
【図１】端末装置として適用した携帯電話機が利用可能な通信ネットワークシステムを示したブロック図。
【図２】携帯電話機１の基本的な構成要素を示したブロック図。
【図３】画像記憶部Ｍ３を説明するための図。
【図４】表示部１７を見るユーザの方向（視野角方向）に応じてユーザ毎に異なる画像を視認させるための視野角方向を示した図。
【図５】（１）〜（７）は、表示部１７を前にして横一列に並んだ４人ｕ１、ｕ２、ｕ３、ｕ４の視野角方向に応じて表示部１７に表示されている複数の画像のうち、どのような画像を視認することができるかを説明するための図。
【図６】電源投入に伴って実行開始される携帯電話機１側の全体動作の概要を示したメインのフローチャート。
【図７】画像表示処理（図６のステップＡ９）を詳述するためのフローチャート。
【図８】表示制御処理（図７のステップＢ１０）を詳述するためのフローチャート。
【図９】通常スクロール操作に応じて実行開始される送り制御Ａ処理（図７のステップＢ１２）を詳述するためのフローチャート。
【図１０】スキップスクロール操作に応じて実行開始される送り制御Ｂ処理（図７のステップＢ１５）を詳述するためのフローチャート。
【発明を実施するための形態】
【００２０】
図１〜図１０を参照して本発明の実施形態を説明する。
この実施形態は、端末装置として携帯電話機に適用した場合を例示したもので、図１は、この携帯電話機が利用可能な通信ネットワークシステムを示したブロック図である。
携帯電話機１は、例えば、一つの筐体から成るストレートタイプの携帯電話機で、通話機能、電子メール機能、インターネット接続機能（Ｗｅｂアクセス機能）のほか、カメラ機能などを備えている。携帯電話機１は、筐体の表面略全域を表示面ＤＰとするもので、筐体の中央部分にはカメラ機能を構成する撮影レンズＦＲが取り付けられている。このカメラ機能は、カメラ切り替え操作により表示面ＤＰ側（ユーザ側）を撮像するインカメラとして使用したり、表示面ＤＰの反対側を撮像するアウトカメラとして使用したりすることが可能なもので、インカメラとして使用する場合には、広角撮影により表示面ＤＰを視認している複数の人を同時に撮像可能となっている。
【００２１】
携帯電話機１は、最寄りの基地局２Ａ、交換機２Ｂから無線通信網（移動体通信網）２に接続されると、この無線通信網２を介して他の携帯電話機（図示省略）との間で通話可能な状態となる。また、携帯電話機１は、無線通信網２を介してインターネット３に接続されると、Ｗｅｂサイトをアクセスして閲覧可能となり、また、画像配信装置４から画像（動画や静止画）などをインターネット３及び無線通信網２を介してダウンロード受信が可能となる。このように画像配信装置４から画像（静止画、動画、テレビ番組など）を取得する以外にも、上述のカメラ機能で撮像された画像を取得したり、外部記録媒体からコピー取得したりすることができる。
【００２２】
図２は、携帯電話機１の基本的な構成要素を示したブロック図である。
中央制御部１１は、二次電池を備えた電池部１２からの電力供給によって動作し、記憶部１３内の各種のプログラムに応じてこの携帯電話機１の全体動作を制御する中央演算処理装置やメモリ（図示省略）などを有している。この記憶部１３には、プログラム記憶部Ｍ１、各種情報一時記憶部Ｍ２、画像記憶部Ｍ３などが設けられている。なお、記憶部１３は、例えば、ＳＤカード、ＩＣカードなど、着脱自在な可搬型メモリ（外部記録媒体）を含む構成であってもよく、図示しない所定の外部サーバ上にあってもよい。プログラム記憶部Ｍ１は、図６〜図１０に示した動作手順に応じて本実施形態を実現するためのプログラムや各種のアプリケーションなどが格納されているほか、それに必要とする情報などが記憶されている。また、各種情報一時記憶部Ｍ２は、フラグ情報、画面情報など、携帯電話機１が動作するために必要な各種の情報を一時的に記憶するワーク領域である。なお、画像記憶部Ｍ３については、後で詳述するものとする。
【００２３】
無線通信部１４は、無線部、ベースバンド部、多重分離部などを備え、例えば、通話機能、電子メール機能、インターネット接続機能などの動作時に、最寄りの基地局２Ａとの間でデータの送受信を行うもので、通話機能の動作時にはベースバンド部の受信側から信号を取り込んで受信ベースバンド信号に復調して中央制御部１１に対して出力すると、中央制御部１１は、音声信号処理部１５を介して通話用スピーカＳＰから音声出力させ、また、通話用マイクＭＣからの入力音声データを音声信号処理部１５から取り込み、送信ベースバンド信号に符号化した後、ベースバンド部の送信側に与えてアンテナＡＮから発信出力させる。撮像部１６は、カメラ機能を構成する構成要素であり、撮像素子（例えば、ＣＣＤあるいはＣＭＯＳ）を有し、静止画撮影のほかに動画撮影も可能となっている。そして、撮像部１６は、上述の撮像素子、撮影レンズＦＲのほか、測距センサ、光量センサ、アナログ処理回路、信号処理回路、圧縮伸張回路などを備え、光学ズームを調整制御したり、オートフォーカス時の駆動制御、シャッタ駆動制御、露出、ホワイトバランスなどを制御したりする。
【００２４】
表示部１７は、上述の表示面ＤＰを構成するもので、高精細液晶を使用し、例えば、文字情報、待受画像、静止画、動画などを表示させる。この表示部１７の表面に対応する指の接触を検出する接触操作部（透明なタッチパネル）を積層配設することによってタッチ画面を構成している。なお、タッチパネルは、静電容量方式や抵抗膜方式でもよく、接触の他に操作器具や指の押し込み（押圧）を検出可能する圧電方式であってもよい。また、表示部（タッチ画面）１７の表面には、図示省略したが、細かい透光性スリットを有する視差バリアを生成するための液晶の層が設けられ、この視差バリアを生成することにより視野角方向に応じて異なる画像（静止画、動画、テレビ番組など）を視認させることが可能となっている。視差バリア制御部１８は、複数の異なる画像が表示部１７に同時に表示されている場合に、ある視野角方向からはある画像が、別の視野角方向からは別の画像が視認されるように視差バリアを表示部１８の表面に生成させるもので、中央制御部１１の制御下で表示部１７の表面に視差バリアを生成させたり、表示部１７の表面から視差バリアを消去させたりする。
【００２５】
操作部１９は、筐体の側面部に配設されたサイドキーなどの押しボタン式のキーを有し、中央制御部１１は、この操作部１９からの入力操作信号に応じた処理を実行する。例えば、電源オン／オフ操作に応じて電源オン／オフ処理を実行したり、画像取得操作（画像のダウンロードを指示するダウンロード操作や撮像を指示する撮影操作など）に応じて画像取得処理を実行したりする。ＲＴＣ（リアルタイムクロックモジュール）２０は、時計部を構成するもので、中央制御部１１は、ＲＴＣ２０から現在日時を取得する。報知部２１は、サウンドスピーカ２１Ａ、ＬＥＤ（発光ダイオード）２１Ｂ、振動モータ２１Ｃを備え、着信時に駆動されて着信報知を行うほか、アラーム報知時などでも駆動される。
【００２６】
図３は、画像記憶部Ｍ３を説明するための図である。
画像記憶部Ｍ３は、撮像部１６により撮像された画像や画像配信装置４からダウンロード受信した画像などの各種の画像データをその画像に関する情報とともに記憶するもので、「画像ＩＤ」、「タイトル」、「実データ」、…、を有する構成となっている。ここで、「画像ＩＤ」は、画像を識別する一連番号などである。「タイトル」は、画像に付された付加情報（画像名）であり、図示の例において、“スペイン旅行０１”〜“スペイン旅行０５”は、順序付けされた一連の画像に付されたタイトルで、“スペイン旅行０１”で示される画像が先頭の画像、“スペイン旅行０５”で示される画像が末尾の画像となる。「実データ」は、静止画、動画、テレビ番組などの実際のデータとして、例えば、画像を適切なフォーマット（例えば、ＪＰＥＧ）に圧縮した画像ファイルである。
【００２７】
図４は、表示部１７を見るユーザの方向（視野角方向）に応じてユーザ毎に異なる画像を視認させるための視野角方向を示した図である。
図示の例は、表示部１７を前にして横一列に並んだ４人ｕ１、ｕ２、ｕ３、ｕ４が表示部１７を見る場合を例示したもので、表示部１７の表示面ＤＰをその人数に応じて分割することにより第１視野角方向〜第４視野角方向を確保した場合である。この第１視野角方向〜第４視野角方向のうち第１視野角方向を所定の視野角方向（画像を割り当てる際の基準となる方向）としている。そして、この第１視野角方向はユーザｕ１が画像を見る基準となる方向、第２視野角方向はユーザｕ２が画像を見る方向、第３視野角方向はユーザｕ３が画像を見る方向、第４視野角方向はユーザｕ４が画像を見る方向を示している。図示の例において、ユーザｕ１、ｕ２、ｕ３、ｕ４のうち、ユーザｕ１を当該携帯電話機１の主ユーザとすると、ユーザｕ２、ｕ３、ｕ４は、主ユーザの友人などである。
【００２８】
各視野角方向は、それぞれ異なる方向を示したもので、図中、左側から右側に向かって第１視野角方向〜第４視野角方向の順序となっている。この第１視野角方向〜第４視野角方向の個々に対応して一つの画像がそれぞれ割り当てられている。この場合、視差バリア制御部１８は、表示部１７に同時に表示される複数の画像（ユーザ数に対応した第１画像〜第４画像）のうち、第１画像が第１視野角方向から視認され、第２画像が第２視野角方向から視認され、第３画像が第３視野角方向から視認され、第４画像が第４視野角方向から視認されるような視差バリアを生成して表示部１７を制御するようにしている。第１画像〜第４画像は、順序付けされた一連の画像であり、例えば、その順位にしたがった第１番目〜第４番目の画像である。なお、第１視野角方向〜第４視野角方向は、表示部１７の表示面ＤＰをそれぞれ均等に分割した場合に限らず、いずれかの視野角方向を広くするようにしてもよい。例えば、主ユーザｕ１が見る第１視野角方向を広くするようにしてもよい。
【００２９】
図５は、表示部１７を前にして横一列に並んだ４人ｕ１、ｕ２、ｕ３、ｕ４の視野角方向に応じて表示部１７に表示されている複数の画像のうち、どのような画像を視認することができるかを説明するための図である。なお、図中、白抜きの四角形は、各ユーザの視野角方向から視認される画像を示し、この四角形内の数値は、順序付けされた一連の画像の順位を示し、また、白抜き四角形内の矩形の黒の塗り部分は、実際の画像とは異なる代替画像（黒塗り画像）を示している。図５（１）は、複数の画像を複数人が手渡し感覚で順番に閲覧する場合における画像表示開始時の表示状態を示した図である。この画像表示開始時においては、順序付けされた一連の画像のうち順位が“１”の先頭画像（１番目の画像）が主ユーザｕ１から視認され、その他の各ユーザｕ１〜ｕ４からは代替画像（黒塗り画像）がそれぞれ視認される表示状態を示している。
【００３０】
図５（２）は、図５（１）に示した画像表示開始時の表示状態において、表示部１７の表示の変更（次の画像への切り替え）を指示する操作（以下、通常スクロール操作と呼称する）が行われた後の表示状態を示している。すなわち、順位が“１”の先頭画像（１番目の画像）が主ユーザｕ１の第１視野角方向に割り当てられている状態において、通常スクロール操作が行われると、画像記憶部Ｍ３から次の順位の画像（２番目の画像）を読み出し、この２番目の画像を第１視野角方向に割り当てた状態を示している。
【００３１】
この場合、第１視野角方向に割り当てられた画像（２番目の画像）に対して前後関係にある順位の他の画像（１番目の画像）が第２視野角方向に割り当てられる。すなわち、図５（２）は、第１視野角方向に割り当てられている１番目の画像を第２視野角方向に割り当てるとともに、画像記憶部Ｍ３から読み出した２番目の画像を第１視野角方向に割り当てた状態を示している。この場合、第３視野角方向及び第４視野角方向に割り当てられている画像は、図５（１）と同様、代替画像（黒塗り画像）がそのまま割り当てられている。
【００３２】
図５（３）は、図５（２）に示した表示状態において、更に通常スクロール操作が行われた後の表示状態を示している。すなわち、２番目の画像が主ユーザｕ１の第１視野角方向に割り当てられ、１番目の画像がユーザｕ２の第２視野角方向に割り当てられている状態において、通常スクロール操作が行われると、画像記憶部Ｍ３から次の順位の画像（３番目の画像）を読み出し、第２視野角方向に割り当てられている１番目の画像を第３視野角方向に割り当てるとともに、第１視野角方向に割り当てられている２番目の画像を第２視野角方向に割り当て、更に画像記憶部Ｍ３から読み出した３番目の画像を第１視野角方向に割り当てた状態を示している。この場合、第４視野角方向に割り当てられている画像は、図５（１）と同様、代替画像（黒塗り画像）がそのまま割り当てられている。
【００３３】
図５（４）は、図５（１）に示した表示状態から通常スクロール操作を５回続けて行われた後の表示状態を示している。この場合、第１視野角方向には６番目の画像が割り当てられ、第２視野角方向には５番目の画像が割り当てられ、第３視野角方向には４番目の画像が割り当てられ、第４視野角方向には３番目の画像が割り当てられる。図５（５）は、図５（４）に示した画像の表示状態において、更に通常スクロール操作が行われた後の表示状態を示し、第１視野角方向には７番目の画像、第２視野角方向には６番目の画像、第３視野角方向には５番目の画像、第４視野角方向には４番目の画像が割り当てられる。
【００３４】
図５（６）は、図５（４）に示した表示状態において、画像のスキップ表示を指示するスキップスクロール操作が行われた後の表示状態を示している。この場合、上述した図５（５）に示した画像表示状態と同様に、第１視野角方向には７番目の画像が割り当てられ、第３視野角方向には５番目の画像が割り当てられ、第４視野角方向には４番目の画像が割り当てられるが、第２視野角方向には代替画像（黒塗り画像）割り当てられる。なお、代替画像は黒塗り画像に限らず、任意であり、例えば、図５（７）に示すように、前回と同様の画像（５番目の画像）を代替画像として使用するようにしてもよい。
【００３５】
次に、本実施形態における携帯電話機１の動作概念を図６〜図１０に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。すなわち、記録媒体のほかに、伝送媒体を介して外部供給されたプログラム／データを利用して本実施形態特有の動作を実行することもできる。
【００３６】
図６は、電源投入に伴って実行開始される携帯電話機１側の全体動作の概要を示したメインのフローチャートである。
先ず、中央制御部１１は、電源を投入する電源オン操作が行われると（ステップＡ１でＹＥＳ）、電源供給を開始させて所定のメモリなどを初期化する電源オン処理を実行した後、所定の待受画像を読み出して表示させたり、基地局２Ａとの間で通信を行って位置登録をしたりする待受処理を行う（ステップＡ２）。この状態において、設定操作が行われたかを調べたり（ステップＡ３）、画像取得操作が行われたかを調べたり（ステップＡ５）、画像表示開始指示の発生を検出したかを調べたり（ステップＡ８）、着信を検出したかを調べたり（ステップＡ１０）、電源オフ操作が行われたかを調べたり（ステップＡ１２）、その他の操作が行われたかを調べたりする（ステップＡ１４）。
【００３７】
いま、任意の情報を設定するための設定操作が行われたときには（ステップＡ３でＹＥＳ）、その操作に対応してその情報を設定する設定処理を実行した後（ステップＡ４）、上述のステップＡ３に戻る。また、画像取得操作が行われたときには、つまり、画像のダウンロードを指示するダウンロード操作、や撮像を指示する撮影操作などの画像取得操作が行われたときには（ステップＡ５でＹＥＳ）、その画像取得操作に応じた画像取得処理を行う（ステップＡ６）。すなわち、画像取得操作が画像撮影操作によるものであれば、カメラ機能を起動させて撮像部１６から撮影画像を取得し、また、ダウンロード操作によるものであれば、画像配信装置４から画像（動画や静止画）をダウンロード受信して取得し、また、コピー操作によるものであれば、外部記憶媒体から画像をコピー取得する。そして、上述のようにして取得した各種の画像を画像記憶部Ｍ３にそれぞれ記憶させた後（ステップＡ７）、上述のステップＡ３に戻る。
【００３８】
また、画像表示開始指示の発生を検出したときには（ステップＡ８でＹＥＳ）、つまり、ユーザ操作により画像表示が指示されたとき又はスライドショーのように複数の画像を所定時間毎に次々に切り替え表示させるための切り替えタイミングを自動検出したときには、画像表示処理を行った後（ステップＡ９）、上述のステップＡ３に戻る。この画像表示処理については、後で詳述するが、表示部１７の表面に、上述した視差バリアを生成させることにより、複数の画像を複数人が手渡し感覚で順番に閲覧するという閲覧の仕方に対応可能とした表示処理である。
【００３９】
他方、着信を検出したときには（ステップＡ１０でＹＥＳ）、その応答操作に応じて通話処理を行った後（ステップＡ１１）、上述のステップＡ３に戻る。また、電源オフ操作を検出したときには（ステップＡ１２でＹＥＳ）、電源オフ処理を行った後（ステップＡ１３）、このフローの終了となるが、発信操作など、その他の操作が行われたときには（ステップＡ１４でＹＥＳ）、操作に応じた処理として発信処理などを行った後（ステップＡ１５）、上述のステップＡ３に戻る。
【００４０】
図７は、画像表示処理（図６のステップＡ９）を詳述するためのフローチャートである。
先ず、中央制御部１１は、画像表示開始指示の発生が、表示部（タッチ画面）１７へのタッチ操作によるものなのか、それ以外の要因、例えば、それ以外の操作（メニューからの選択操作）や自動画像表示開始指示などによるものなのかを判別する（ステップＢ１）、いま、表示部（タッチ画面）１７へのタッチ操作によるものであれば（ステップＢ１でＹＥＳ）、ユーザ数Ｐを検出する処理に移る（ステップＢ２）。なお、Ｐは１以上の整数である。
【００４１】
すなわち、複数の画像を複数人が手渡し感覚で順番に閲覧する場合には、各人が表示部（タッチ画面）１７上を１回ずつタッチする。これにより中央制御部１１は、タッチ回数を計数することにより表示部１７を利用するユーザ数（利用人数）Ｐを求める。また、画像表示開始指示の発生がタッチ操作以外の要因であれば（ステップＢ１でＮＯ）、カメラ機能を起動させて撮像部１６から撮影画像を取り込み（ステップＢ３）、この撮影画像を解析しながら人物が何人写っているかを計数することにより表示部１７を利用するユーザ数（利用人数）Ｐを求める（ステップＢ４）。
【００４２】
このようにして検出したユーザ数（利用人数）Ｐに基づいて、表示部１７に表示させる画像の数を示す表示数Ｐを決定する（ステップＢ５）。なお、図４の例では、ユーザ数が“４”であるから表示数も“４”となる。そして、表示部１７の全体の視野角を表示数Ｐに基づいて分割することにより、図４の左側から順番に第１視野角方向、第２視野角方向、…第Ｐ視野角方向を決定する（ステップＢ６）。この場合、均等分割に限らず、主ユーザの視野角を大きくとるようにしてもよく、また、ユーザを撮影画像によってユーザ数を検出した場合には、その画像内に含まれている顔の位置に応じて視野角方向を決定するようにしてもよい。
【００４３】
そして、第１〜第Ｐ視野角方向から、それぞれ別の画像が視認されるような視差バリアを表示部１７の表面に生成するとともに（ステップＢ７）、第１視野角方向から視認される画像（以降、第１視認画像という）、第２視野角方向から視認される画像（以降、第２視認画像という）、…、第Ｐ視野角方向から視認される画像（第Ｐ視認画像）を表示部１７にそれぞれ同時に表示させるために、各種情報一時記憶部Ｍ２内にそれらの画像を一時記憶する第１〜第Ｐ記憶領域を確保する（ステップＢ８）。なお、図４に示す場合には、第１視認画像〜第Ｐ視認画像に対応して、四つの第１〜第Ｐ記憶領域が確保される。この状態において、画像記憶部Ｍ３から一連の画像（第１視認画像〜第Ｐ視認画像）をその先頭から順次指定するための指定値Ｎを、その初期値“１”とした後（ステップＢ９）、表示制御処理に移る（ステップＢ１０）
【００４４】
図８は、表示制御処理（図７のステップＢ１０）を詳述するためのフローチャートである。
先ず、中央制御部１１は、上述の指定値Ｎで示されるＮ番目の画像を画像記憶部Ｍ３から読み出し（ステップＣ１）、このＮ番目の画像を第１視認画像として、各種情報一時記憶部Ｍ２に確保しておいた第１記憶領域内に一時記憶させた後（ステップＣ２）、第１〜第Ｐ記憶領域内に一時記憶されている第１〜第Ｐ視認画像を読み出して表示部１７に同時表示させる（ステップＣ３）。
【００４５】
この場合、表示部１７の表面に生成された視差バリアの効果によって、第１視野角方向からは第１視認画像が、第２視野角方向からは第２視認画像が、…第Ｐ視野角方向からは第Ｐ視認画像が、それぞれ視認されるように表示部１７に対する制御を行う。なお、Ｎ番目の視認画像が一時記憶されていない場合には、その表示を行わない（一時記憶されている視認画像のみを表示させる）が、その際、一時記憶されていない視認画像の代わりに代替画像（黒塗り画像）を表させるようにしている。その結果、指定値Ｎが“１”の場合には、図５（１）に示したように、主ユーザｕ１から１番目の画像が視認され、その他の各ユーザｕ１〜ｕ４からは代替画像（黒塗り画像）がそれぞれ視認されるような表示状態となる。
【００４６】
このような表示制御処理（図７のステップＢ１０）が終わると、通常スクロール操作が行われたかを調べたり（ステップＢ１１）、スキップスクロール操作が行われたかを調べたり（ステップＢ１４）、画像終了指示発生を検出したかを調べたりする（ステップＢ１６）。ここで、通常スクロール操作は、主ユーザが視認している画像を次のユーザにも視認させるようにスクロール指示を行う操作で、ユーザは表示部（タッチ画面）１７上において横方向へのスライド操作（タッチ移動操作）を行うようにしている。また、スキップスクロール操作は、主ユーザが視認している画像を次のユーザに視認させないようにスキップ指示を行う操作で、ユーザは表示部（タッチ画面）１７上において縦方向へのスライド操作を行うようにしている。このように通常スクロール操作は、横方向へのスライド操作、スキップスクロール操作は、縦方向へのスライド操作とすることで、両方を区別するようにしている。
【００４７】
いま、通常スクロール操作が行われたときには（ステップＢ１１でＹＥＳ）、後述する送り制御Ａ処理を実行し（ステップＢ１２）、スキップスクロール操作が行われたときには（ステップＢ１４でＹＥＳ）、後述する送り制御Ｂ処理の実行に移る（ステップＢ１５）。そして、指定値Ｎに“１”を加算するインクリメント処理を実行した後（ステップＢ１３）、上述した表示制御処理のステップＢ１０に戻る。また、画像終了指示発生を検出したとき、つまり、ユーザ操作による終了指示を検出したり、一定時間操作がなくユーザの未使用を検出したりしたときには（ステップＢ１６でＹＥＳ）、表示部１７の表面に生成されている視差バリアを消去したり、表示部１７に表示されている画像を消去したりする画像表示終了処理を実行した後（ステップＢ１７）、図６のステップＡ３に戻る。
【００４８】
図９は、通常スクロール操作に応じて実行開始される送り制御Ａ処理（図７のステップＢ１２）を詳述するためのフローチャートである。
先ず、中央制御部１１は、上述の指定値Ｎを指定値ｋとして退避した後（ステップＤ１）、指定値ｋは、利用人数又は表示数Ｐを超えたか否かを調べ（ステップＤ２）、ｋ＜Ｐでなければ（ステップＤ２でＮＯ）、指定値ｋから“１”を減算するデクリメント処理を実行した後（ステップＤ３）、上述のステップＤ２に戻る。いま、図４、図５に示した例において表示数Ｐは“４”で、かつ指定値Ｎは最初“１”（ｋ＝１）であるからｋ＞Ｐとなるため（ステップＤ２でＮＯ）、各種情報一時記憶部Ｍ２をアクセスして、この指定値ｋで示される第ｋ記憶領域に一時記憶されている第ｋ視認画像を読み出した後（ステップＤ４）、この第ｋ視認画像を第ｋ＋１視認画像として各種情報一時記憶部Ｍ２内の第ｋ＋１記憶領域に一時記憶させる（ステップＤ５）。
【００４９】
そして、指定値ｋに“１”を加算するインクリメント処理を実行した後（ステップＤ６）、更新後の指定値ｋは“０”以上であるかを調べ（ステップＤ７）、指定値ｋが“０”に達するまで（ステップＤ７でＮＯ）、上述のステップＤ４に戻り、以下、同様の動作を繰り返す。いま、指定値Ｎは最初“１”であるから、ｋ＝１となるために、第１視認画像を第２記憶領域に一時記憶させる。その後は、ｋ＝０となるために、図７のステップＢ１３に移り、指定値Ｎを“２”に更新させる。そして、表示制御処理（図７のステップＢ１０）に移り、指定値Ｎで示される２番目の画像を画像記憶部Ｍ３から読み出し（図８のステップＣ１）、第１視認画像として一時記憶させた後（ステップＣ２）、一時記憶されている各画像を同時に表示させる（ステップＣ３）。その結果、図５（２）に示したように主ユーザｕ１から２番目の画像が視認され、ユーザｕ２から１番目の画像が視認され、ユーザｕ３及びユーザｕ４から代替画像（黒塗り画像）が視認されるような表示状態となる。
【００５０】
続けて、通常スクロール操作が行われたときには（図７のステップＢ１１でＹＥＳ）、上述と同様の動作が行われる。この場合、Ｎ＝２、ｋ＝２となるため、図９のステップＤ４〜Ｄ７の処理が、２回繰り返される結果、図５（２）に示したように３番目の画像が主ユーザｕ１から視認され、２番目の画像がユーザｕ２から視認され、１番目の画像がユーザｕ２から視認され、ユーザｕ４から代替画像（黒塗り画像）が視認されるような表示状態となる。
【００５１】
図１０は、スキップスクロール操作に応じて実行開始される送り制御Ｂ処理（図７のステップＢ１５）を詳述するためのフローチャートである。
先ず、中央制御部１１は、上述の指定値Ｎを指定値ｋとして退避した後（ステップＥ１）、指定値ｋは、利用人数又は表示数Ｐを超えたかを調べる（ステップＥ２）。いま、図５（４）で示した表示状態の場合、表示数Ｐは“４”で、かつ指定値Ｎは“６”（ｋ＝６）であるからｋ＞Ｐとなるため（ステップＥ２でＮＯ）、ステップＥ３に移り、指定値ｋから“１”を減算するデクリメント処理を実行した後、ステップＥ２に戻り、以下、ｋ＜Ｐが成立するまで上述の動作を繰り返す。
【００５２】
ここで、ｋ＝３となり、ｋ＜Ｐが成立すると（ステップＥ２でＹＥＳ）、ｋ＝１であるかを調べるが（ステップＥ４）、いま、ｋ＝３であるので（ステップＥ４でＮＯ）、ステップＥ１０に移り、各種情報一時記憶部Ｍ２をアクセスして、この指定値ｋで示される第ｋ記憶領域に一時記憶されている第ｋ視認画像を読み出した後、この第ｋ視認画像を第ｋ＋１視認画像として各種情報一時記憶部Ｍ２内の第ｋ＋１記憶領域に一時記憶させる（ステップＥ１１）。そして、指定値ｋから“１”を減算した後（ステップＥ８）、更新後の指定値ｋは“０”以上であるかを調べるが（ステップＥ９）、この場合、ｋ＝２であるので（ステップＥ９でＮＯ）、上述のステップＥ４に戻る。以下、同様に、第ｋ視認画像を読み出した後（ステップＥ１０）、この第ｋ視認画像を第ｋ＋１視認画像として一時記憶させる（ステップＥ１１）。そして、指定値ｋから“１”を減算した後（ステップＥ８）、上述のステップＥ９に移るが、この場合、ｋ＝１であるから（ステップＥ９でＮＯ）、再度、上述のステップＥ４に戻る。
【００５３】
ここで、ｋ＝１であることが検出されるため（ステップＥ４でＹＥＳ）、この指定値ｋで示される第ｋ記憶領域に一時記憶されている第ｋ視認画像を読み出した後（ステップＥ５）、この第ｋ視認画像を代替画像（黒塗り画像）に変換し（ステップＥ６）、この代替画像（黒塗り画像）を各種情報一時記憶部Ｍ２内の第ｋ＋１記憶領域に一時記憶させる（ステップＥ７）。そして、指定値ｋから“１”を減算した後（ステップＥ８）、更新後の指定値ｋは“０”以上であるかを調べる（ステップＥ９）。
【００５４】
いま、ｋ＝０であることが検出されるため（ステップＥ９でＹＥＳ）、図７のステップＢ１３に移り、指定値Ｎを更新（Ｎ＝７）させる。そして、表示制御処理（ステップＢ１０）に移り、指定値Ｎで示される７番目の画像を画像記憶部Ｍ３から読み出し（図８のステップＣ１）、第１視認画像として一時記憶させた後（ステップＣ２）、一時記憶されている各画像を同時に表示させる（ステップＣ３）。その結果、図５（５）に示したように主ユーザｕ１から７番目の画像が視認され、ユーザｕ２から代替画像（黒塗り画像）が視認され、ユーザｕ３から５番目の画像が視認され、ユーザｕ４から４番目の画像が視認されるような表示状態となる。
【００５５】
以上のように、実施形態において中央制御部１１は、表示部１７に対する複数の視野角方向からそれぞれ異なる画像が視認されるように表示部１７を制御する場合に、順序付けされた一連の画像を記憶する記憶部から表示対象の画像を指定するとともに、指定し画像が所定の視野角方向（例えば、主ユーザ対応の第１視野角方向）から視認されるように該画像を第１視野角方向に割り当てるほか、第１視野角方向に割り当てられている画像に対して前後関係の順位の他の画像が所定の視野角方向とは異なる他の視野角方向（例えば、第２視野角方向）から視認されるように該他の画像を第２視野角方向に割り当てるようにしたので、表示部１７を見る方向に応じて異なる画像を視認させるために複数の画像の表示部１７への表示を適切に制御することができ、効果的な閲覧が可能となる。
【００５６】
表示部１７の表示の変更（次の画像への切り替え）を指示する通常スクロール操作が行われた際に、所定の視野角方向（第１視野角方向）に割り当てられている画像の次の順位の画像を指定し、この画像が第１視野角方向から視認されるように該画像を第１視野角方向に割り当てるほか、第１視野角方向に割り当てられていた画像を第２視野角方向に割り当てるようにしたので、例えば、複数の画像を複数人が手渡し感覚で順番に閲覧するという閲覧の仕方を実現することができる。
【００５７】
スキップスクロール操作が行われた際に、第１視野角方向に割り当てられている画像の次の順位の画像を指定するとともに、この次の順位の画像が第１視野角方向から視認されるように該画像を第１視野角方向に割り当てるほか、第２視野角方向には代替画像として黒塗り画像を割り当てるようにしたので、画像のスキップ表示が可能となり、主ユーザが見ている画像がプライベート画像（秘匿画像）などであれば、それを他のユーザに見せないようにすることができる。したがって、例えば、１０枚の画像の中に１枚だけプライベート画像（秘匿画像）が含まれているような場合に、その１０枚の画像の全てを見せないようにするのではなく、プライベート画像を除いた残り９枚の画像を見せることができるようになる。
【００５８】
表示部１７を利用する人数に基づいて、表示部１７に同時に表示する画像の枚数を決定し、この枚数分の画像を表示部１７に同時に表示させる場合に、それぞれの画像が異なる視野角方向から視認されるように表示部１７を制御するようにしたので、表示部１７を見る方向に応じて異なる画像を視認させるために、複数の画像の表示部１７への表示を適切に制御することができ、効果的な閲覧が可能となる。
【００５９】
表示部１７の利用する人数に相当する数の視野角方向を所定の順序で表示部１７に確保するようにしたので、複数人で複数の画像を視認する場合に表示部１７への表示を適切に決定することができる。
【００６０】
表示部１７を利用するユーザを撮像することによってユーザの利用数を検出するようにしたので、表示部に同時に表示する画像の枚数をユーザの利用数に応じて、適切に決定することができる。
【００６１】
ユーザ操作によって指定された人数に基づいて利用人数を検出するようにしたので、表示部に同時に表示する画像の枚数をユーザ指定の人数に応じて、適切に決定することができる。
【００６２】
表示部１７に対する接触操作の回数によって利用人数を指定するようにしたので、簡単な操作により利用人数の指定が可能となる。
【００６３】
なお、上述した実施形態においては、スキップスクロール操作が行われた際に、第２視野角方向に代替画像として黒塗り画像を割り当てるようにしたが、第２視野角方向に割り当てられている画像をそのまま維持するようにしてもよい。すなわち、スキップスクロール操作が行われたた際に、第１視野角方向に割り当てられている画像の次の順位の画像を指定するとともに、この次の順位の画像が第１視野角方向から視認されるように該画像を該第１視野角方向に割り当てるほか、第２視野角方向に割り当てられている画像をそのまま維持するようにしてもよい。このような仕方によって画像スキップを実現したとしても、画像のスキップ表示が可能となり、主ユーザが見ている画像がプライベートな秘匿画像であれば、それを友人などの他のユーザに見せないようにすることができる。
【００６４】
更に、上述した実施形態においては、代替画像として黒塗り画像を割り当てるようにしたが、これに限らず、例えば、外枠のみの画像、画像の全体又は一部にモザイク処理を施した画像などであってもよい。
【００６５】
上述した実施形態においては、主ユーザの位置を表示部１７の左端とした場合を示したが、表示部１７の中央や右端など、任意の位置であってもよい。この場合、主ユーザの位置を表示部１７の右端であれば、他の各ユーザは、主ユーザの左側に整列するようにすればよい。また、ユーザの整列は横一線に限らず表示部１７を挟んだ上下方向であってもよく、また、各ユーザが表示部１７の左右方向及び上下方向に整列している場合には、左右方向に対応する視差バリアと、上下方向に対応する視差バリアを設けるようにしてもよい。
【００６６】
また、上述した実施形態においては、スクロールの方向を図中、左から右の方向としたが、これに限らず、右から左の方向、上から下の方向など、任意の方向であってもよい。この場合、一連の画像を、主ユーザを中心に左右交互に順次振り分けるようなスクロールを行うようにしてもよい。
【００６７】
上述した実施形態においては、ユーザ数を指定する操作を、タッチ回数としたが、数字入力操作など、任意の操作であってもよい。
【００６８】
また、上述した実施形態においては、ユーザ数を複数としたが、１人であってもよい。１人の場合にも複数枚の画像を表示部１７に同時に表示させ、それぞれの画像が異なる視野角方向から視認されるように制御すればよい。このように制御することによって、１人のユーザが位置を変えることで異なる画像を閲覧（視認）することができる。
【００６９】
上述した実施形態においては、通常スクロールの操作を横方向のスライド操作、スキップスクロールの操作を縦方向のスライド操作としたが、互いに区別可能な任意の操作であればよい。
【００７０】
表示部１７に表示させる画像は、静止画、動画、テレビ番組に限らず、例えば、テキストを含む画像など、表示部１７に表示させる任意の種別の画像であってもよい。
また、上述した実施形態においては、表示部１７は端末装置に備えられている表示部としたが、外部モニタなど、任意の外部表示装置であってもよい。
【００７１】
その他、端末装置としては携帯電話機に限らず、パーソナルコンピュータ、ＰＤＡ、デジタルカメラ、音楽プレイヤーなど、任意の端末装置であってもよい。更に、ストレートタイプの端末装置に限らず、折り畳みタイプ、スライドタイプ、スピントップタイプなど任意の筐体構造であってもよい。
【００７２】
また、上述した実施形態において示した“装置”や“機”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【符号の説明】
【００７３】
１  携帯電話機
４  画像配信装置
１１  中央制御部
１３  記憶部
１６  撮像部
１７  表示部（タッチ画面）
１８  視差バリア制御部
１９  操作部
Ｍ１  プログラム記憶部
Ｍ２  各種情報一時記憶部
Ｍ３  画像記憶部
ｕ１〜ｕ４  ユーザ
【図１】
2011234082.tif 000003
【図２】
2011234082.tif 000004
【図３】
2011234082.tif 000005
【図４】
2011234082.tif 000006
【図５】
2011234082.tif 000007
【図６】
2011234082.tif 000008
【図７】
2011234082.tif 000009
【図８】
2011234082.tif 000010
【図９】
2011234082.tif 000011
【図１０】
2011234082.tif 000012